(57)【要約】【課題】リモートコントローラと空調装置本体との時刻データを常時一致させた状態にすること。【解決手段】この浴室用空調装置のリモートコントロールシステムは、浴室３用の空調装置本体１と空調装置本体１の操作をするためのリモートコントローラ４０とのそれぞれに基準時刻データ（Ｂ）２７、（Ａ）５０が記録されており、リモートコントローラ４０が有する基準時刻データ（Ａ）５０により、装置本体１側の時刻データ（Ｂ）２７を書き換えるリモートコントロールシステムである。リモートコントローラ４０から装置本体１側に装置本体１の動作モード３０〜３４の制御信号を送信する際に、リモートコントローラ４０が有する基準時刻データ（Ａ）５０を送信して装置本体１の基準時刻データ（Ｂ）２７を書き換える。【選択図】　図１
2004093084.tif 000002
【特許請求の範囲】
【請求項１】
空調装置本体と該空調装置本体の操作をするためのリモートコントローラとのそれぞれに時刻データが記憶され、前記リモートコントローラが有する時刻データにより、前記空調装置本体側の時刻データを書き換えるリモートコントロールシステムであって、
前記リモートコントローラから前記空調装置本体側に制御信号を送信する際に、前記リモートコントローラが有する時刻データを送信して前記空調装置本体の時刻データを書き換えることを特徴とする空調装置のリモートコントロールシステム。
【発明の詳細な説明】
【０００１】
【発明の属する技術分野】
本発明は、浴室、脱衣室等の換気、暖房、乾燥、涼風等の機能を単独若しくは複数有する空調装置のリモートコントロールシステムに関し、更に詳しくは、空調装置本体とリモートコントローラとの時刻合わせを容易に行う空調装置のリモートコントロールシステムに関する。
【０００２】
【従来の技術】
従来から、浴室用の空調装置には、浴室側に配備される空調装置と浴室の入り口ドア近傍の壁部に配備されるリモートコントローラとが無線伝送により接続されるものが知られている。
【０００３】
浴室の空調装置本体の筐体には、浴室の空気を浴室側の開口部から吸引して建物の外側に排気する排気口が形成され、浴室側の開口部と排気口との間に送風室が形成され、この送風室内に送風ファンが設けられ、送風ファンの駆動用モーターに電力線が接続されている。この駆動用モーターに駆動電力を供給するリレー若しくはサイリスタは駆動回路を経由してマイクロコンピュータに接続されている。また、空調装置本体にヒータが設けられている場合にも、ヒータに発熱用の電力を供給するためのリレー若しくはサイリスタは駆動回路を経由してマイクロコンピュータに接続されている。
【０００４】
空調装置のマイクロコンピュータには、無線信号を受信する受信器と、時計用発振子等が接続されている。マイクロコンピュータは、空調装置の駆動モーターを回転させるためのプログラムと、時計用発振子のクロックパルス数に基づいて時刻データを生成・記憶する時計プログラムを備えており、生成した時刻データに基づいて送風ファンを回したり、止めたり、また、ヒータが備えられている場合には、ヒータへの給電を行ったり、給電停止を行うようになっている。
【０００５】
リモートコントローラは、筐体内の制御基板に、マイクロコンピュータと時計用発振子と、液晶表示部ＬＣＤと、無線送信器を備えており、時計用発振子が出力するクロックパルスにより、マイクロコンピュータはリモートコントローラの時刻を生成する。リモートコントローラのマイクロコンピュータは、空調装置本体のマイクロコンピュータの動作を制御するための遠隔操作用プログラムと、時計用発振子のカウントするクロックパルスにより、時刻データを生成・記憶する時計プログラムとを備えている。リモートコントローラは、空調装置本体が所定時刻から所定時刻まで所定の動作を行うように、ユーザーがタイマー動作を設定したときに、そのタイマー動作にかかる動作命令と動作開始時刻データと動作終了時刻データを、送信器から受信器に送信する。
【０００６】
空調装置本体のマイクロコンピュータは、受信器で受信したタイマー動作の動作開始時刻データと動作終了時刻データと動作命令を、時系列的に記憶し、空調装置本体のマイクロコンピュータ自身が持つ時刻データに基づいて、動作開始時刻になったらタイマー動作を開始して継続し、動作終了時刻になったらそのタイマー動作を終了するようになっている。
【０００７】
【発明が解決しようとする課題】
しかしながら、このような従来の浴室用空調装置のリモートコントロールシステムでは、浴室用空調装置の熱的環境その他に起因して、時計用発振子の発信周波数が時間の経過と共に変動するため、空調装置本体のマイクロコンピュータが持つ時刻データと、リモートコントローラのマイクロコンピュータが持つ時刻データとが一致しなくなってしまう。このように、リモートコントローラと空調装置本体の時刻データが不一致であると、所定の時刻にタイマー動作が行われなかったり、意図しない時刻にタイマー動作が開始されてしまうという問題がある。これを回避するために、空調装置本体の時計用発振子を高精度のものにしたり、または時計発振子の発信周波数を微調整することで対応しているが、部品コストや調整作業コストが上昇する問題がある。
【０００８】
本発明は、このような問題に着目してなされたものであり、低コストな構成により、リモートコントローラの時刻データに空調装置本体の時刻データを常時一致させた状態にすることを目的とする。
【０００９】
【課題を解決するための手段】
上記課題を解決するために、本発明にかかる空調装置のリモートコントロールシステムは、浴室用の空調装置本体と該空調装置本体の操作をするためのリモートコントローラとのそれぞれに時刻データが記憶され、前記リモートコントローラが有する時刻データにより、前記空調装置本体側の時刻データを書き換えるリモートコントロールシステムであって、
前記リモートコントローラから前記空調装置本体側に前記空調装置本体の動作制御のための制御信号を送信する際に、前記リモートコントローラが有する時刻データを送信して前記空調装置本体の時刻データを書き換えることを特徴とする。
【００１０】
【発明の実施の形態】
以下、本発明の実施の形態にかかる空調装置のリモートコントロールシステムを説明する。この実施の形態では空調装置の一例として換気扇本体を示す。
【００１１】
図４，図５は、浴室、脱衣室等に設置される空調装置本体１の主要な構成を模式的に示したものであり、ケース２は浴室３の天井４に取り付けられる。ケース２は、図４に示すように、空気を吸引する円筒型の遠心ファン５を配設する吸引室６を備えている。吸引室６は、浴室３内の空気を吸引するための吸引開口部７と、浴室２の吸引開口部７から吸引した空気を排気する排気開口部８と、浴室３の空気を取り入れて浴室３に戻す循環用吸引室９とを備えている。循環用吸引室９には循環用吸引開口部１０と循環用排気開口部１１とを備え、循環用吸引室９の循環用吸引開口部１０近傍に、円筒型の遠心ファン１２が配備されている。循環用吸引室９の循環用排気開口部１１側に、ＰＴＣヒータ１３及びカーボンヒータ１４が配備されている。ケース２の表面には制御ユニット１５が設置されている。循環用排気開口部１１の近傍にサーミスタからなる温度センサ１６が設置されている。
【００１２】
遠心ファン５を回転させるためのファンモータ１７は、ケース２の吸引室６を形成する壁部に取り付けられている。ファンモータ１７の出力軸は遠心ファン５の底板部の回転中心部に固定されている。
【００１３】
遠心ファン１２を回転させるためのファンモータ１８は、ケース２の吸引室９を形成する壁部に取り付けられている。ファンモータ１８の出力軸は遠心ファン１２の底板部の回転中心部に固定されている。
【００１４】
ＰＴＣヒータ１３と、カーボンヒータ１４と、温度センサ１６と、ファンモーター１７と、ファンモータ１８は、それぞれインターフェースを介して、空調装置本体１の制御ユニット１５のマイクロコンピュータ１９に接続されており、マイクロコンピュータ１９の制御命令に基づいて制御される。
【００１５】
制御ユニット１５の制御基板２０は、マイクロコンピュータ１９と、電源回路２１と、水晶振動子からなる時計用発振子２２と、受信器２３と、その他の周辺回路を備えている。
【００１６】
電源回路２１は、家庭内の商用電源をカーボンヒータ１４、ＰＴＣヒータ１３、ファンモータ１７、１８に供給すると共に、商用電源を低圧の直流に変換してマイクロコンピュータ１９及び温度センサ１６に供給する。
【００１７】
マイクロコンピュータ１９には、カーボンヒータ１４、ＰＴＣヒータ１３、温度センサ１６、ファンモータ１７，１８が、それぞれの駆動回路若しくはインターフェースを介して接続されている。
【００１８】
時計用発振子２２は、所定の周波数のクロックパルスを発生し、マイクロコンピュータ１９が備えるクロックカウンター２４に送信する。クロックカウンター２４は、所定数のクロックパルス累計値から秒数を算出し、記憶している。
【００１９】
マイクロコンピュータ１９は、クロックパルス累計値に基づいて経過時間を演算する時間演算プログラム２５と、時間演算プログラム２５が演算した秒、分、時間に基づいてマイクロコンピュータ１１の基準時刻を記憶する時間設定プログラム２６と、空調装置本体１の動作制御プログラム２８と、時間設定プログラム２６により設定された基準時刻データ（Ｂ）２７に基づいてタイマー動作を行わせるためのタイマープログラム２９とを有する。
【００２０】
時間演算プログラム２５は、クロックカウンターが累算したクロックパルス数が所定数に達したら、１秒経過を秒数記憶用のメモリに記憶する。また、時間演算プログラム２５は、経過秒数を記憶したメモリの経過秒数データが６０に到達したら、１分経過を分数記憶用のメモリに記憶する。更に、時間演算プログラム２５は、経過分数を記憶したメモリの経過秒数データが６０に到達したら、１時間経過を時間記憶用のメモリに記憶する。秒、分、時間を記憶するメモリの秒数、分数、時間数の各データは、マイクロコンピュータ１９にリセット信号が入力されたときに、０とされる。
【００２１】
時間設定プログラムは、時間演算プログラム２５が計測した秒数、分数、時間数の各データをそれぞれのメモリから呼び出して、現在時刻記憶用のメモリに記憶する。この現在時刻記憶用のメモリに記憶された時刻データが空調装置本体１の基準時刻データ（Ｂ）２７となり、空調装置本体１は、この基準時刻データ（Ｂ）２７を基準としてタイマー動作を行う。
【００２２】
時間設定プログラム２６は、空調装置本体１に設けた図示しない選択ボタン等の操作によって空調装置本体１の時刻を任意の時刻に設定変更する命令が出力されたときに、空調装置本体１が備える秒、分、時間を記憶するメモリの秒数、分数、時間数の各データを変更する。この時間設定プログラム２６は、リモートコントローラ４０が指定する時刻に合わせるように、リモートコントローラ４０が空調装置本体１に対して送信する時刻変更の命令信号に基づいて、空調装置本体１の秒、分、時間を記憶するメモリの秒数、分数、時間数の各データを変更できるようになっている。
【００２３】
動作制御プログラム２８は、入浴暖房モード３０と、予備暖房モード３１と、乾燥モード３２と、涼風モード３３と、換気モード３４と、停止モードとを有する。
【００２４】
入浴暖房モード３０では、循環ファン１２のファンモーター１８を低速回転させ、カーボンヒータ１４に通電する。予備暖房モード３１では、ファンモーター１８を高速回転させ、ＰＴＣヒータ１３を通電する。なお、ＰＴＣヒータはＰｏｓｉｔｉｖｅ　Ｔｅｍｐｅｒａｔｕｒｅ　Ｃｏｅｆｆｉｃｉｅｎｔヒータである。乾燥モード３２では、ファンモータ１８を高速回転させ、ＰＴＣヒータ１３を通電し、建物の外気を建物内部に導入する換気用のファンモーター１７を同時に回転させる。涼風モード３３では、ファンモータ１８を高速回転させる。換気モードではファンモータ１７を作動させる。停止モードでは、空調装置本体１が現在行っているモードを停止させる。
【００２５】
タイマープログラム２９は、リモートコントローラ４０から送られてきたタイマープログラム４９の動作要求に基づいて、動作制御プログラム２８の各動作モードを選択し、その動作モードを命令された時間に開始し、終了する。タイマープログラム２９は、基準時刻データ（Ｂ）２７に基づいて、各動作モードの開始と終了を実行する。
【００２６】
受信器２３は、リモートコントローラ４０から送られてきた動作モードの制御信号を受信する。この受信器２３は、一例としては電波を受信するものであるが、赤外線による光通信を行う受信器や、超音波信号により通信を行う受信器であっても良い。受信器２３は受信した動作モードの制御命令信号を受信して、マイクロコンピュータ１９に送信する。
【００２７】
リモートコントローラ４０は、電源回路４１と、マイクロコンピュータ４２と、各種動作の選択ボタンと、液晶表示器からなるＬＣＤ４３と、送信器４４と、時計用の発振子４５とを有する。リモートコントローラ４０は、浴室２の位置口近傍の壁部４６に取り付けられており、着脱可能になっている。
【００２８】
図９はリモートコントローラ４０のボタン及び表示部の構成を示す。リモートコントローラ４０には、ＬＣＤ４３及び操作パネル部Ｐが設けられている。ＬＣＤ４３は、左側の上部に上下に配置された第１，第２の動作液晶表示部（動作モード表示部すなわち運転モード表示部）４８ａ，４８ｂと、第１，第２の動作液晶表示部４８ａ，４８ｂの右側に隣接配置された予約状態液晶表示部（予約状態表示部）４８ｃと、これら液晶表示部４８ａ〜４８ｃの下部に隣接配置された時間液晶表示部（時刻表示部）４８ｄを有する。これらはセグメントにより構成され、セグメントの点灯により表示がなされる。
【００２９】
第１の動作液晶表示部４８ａの左側には上下に「暖房」，「涼風」等の運転モード（動作モード）が表示され、第１の動作液晶表示部４８ａの右側には上下に「予備」，「入浴」，「温風」，「遠赤」等の運転モード（動作モード）が表示される。第２の動作液晶表示部４８ｂの左側には上下に「乾燥」，「換気」等の運転モード（動作モード）が表示され、第２の動作液晶表示部４８ｂの右側には上下に「急速」，「標準」，「２４時間」等の運転モード（動作モード）が表示される。
【００３０】
予約状態液晶表示部４８ｃの上部には予約のためのマークＭが表示され、マークＭの下方には「予約あり」が表示され、「予約あり」の下方には「暖房」，「涼風」，「乾燥」，「換気」等が表示される。
【００３１】
時間液晶表示部４８ｄの左上部には「ＡＭ」，「ＰＭ」等が表示され、時間液晶表示部４８ｄの中央部には「時」：「分」が表示され、時間液晶表示部４８ｄの右側には「予約時刻」，「現在時刻」，「残時間」等の表示がされる。
【００３２】
操作パネル部Ｐには、「予備暖房」ボタンＢ１，「入浴暖房」ボタンＢ２，「涼風」ボタンＢ３，「乾燥」ボタンＢ４，「換気」ボタンＢ５等が動作選択ボタンとして設けられている。また、操作パネル部Ｐには、「予約時刻」ボタンＢ６，「停止」ボタンＢ７とが設けられると共に、時刻設定ボタンとしての「時計」ボタンＢ８、アップボタンＢ９、ダウンボタンＢ１０が設けられている。
【００３３】
「予備暖房」ボタンＢ１が押されると、空調装置本体１が予備暖房モード３１になる。「入浴暖房」ボタンＢ２が押されると、空調装置本体１が入浴暖房モード３０になり、カーボンヒータ等の輻射熱源から熱を入浴者側に輻射する。「涼風」ボタンＢ３が押されると、涼風モード３３となる。「乾燥」ボタンＢ４が選択されると乾燥モード３２となり、衣類等の乾燥が可能となる。ボタンＢ１〜Ｂ５の操作により空調装置本体１が運転しているとき、「停止」ボタンＢ７を押すと、空調装置本体１の運転が一旦停止される。［時計」ボタンＢ８を例えば３秒間押し続けると、時間設定プログラム４７が起動して現在時刻設定モードになる。現在時刻設定モードにあるとき時間液晶表示部４８ｄの「現在時刻」のセグメントが点滅し、時刻合わせ等を可能にする。時間設定プログラム４７において、アップボタンＢ９が押される毎に時間液晶表示部４８ｄに表示している時間の分が１分単位で増加し、ダウンボタンＢ１０が押される毎に時間液晶表示部４８ｄに表示している時間の分が１分単位で減少する。再度時刻合わせボタンＢ８を押すと、現在時刻が基準時刻データ（Ａ）５０として所定のメモリに記憶される。なお、タイマープログラム４９により、各モードのタイマー予約がなされている場合には、時間液晶表示部４８ｄの右側に「予約時刻」及び予約されているタイマー動作が表示される。
【００３４】
リモートコントローラ４０のマイクロコンピュータ４２は、空調装置本体１のマイクロコンピュータ１９と同様な時間設定プログラム４７と、モード設定プログラム４８と、タイマープログラム４９とを備えている。
【００３５】
マイクロコンピュータ４２は、空調装置本体１の動作をコントロールするための基準時刻データ（Ａ）５０を保持している。この基準時刻データ（Ａ）５０は、時間設定プログラム４７により設定される。
【００３６】
時間設定プログラム４７は、時計用発振子４５からのクロックパルスをクロックカウンター２４と同様なクロックカウンターによって累積記憶し、所定数のクロックパルス数に基づいて秒数を計算し、秒、分、時を設定する。時間設定プログラム４７は、設定した秒、分、時のデータに基づいて基準時刻データ（Ａ）５０を所定のメモリに記憶する。即ち、上述のように、ユーザーが時間設定用のボタンＢ８を操作し、時間設定プログラム４７を起動させて、ボタンＢ９，Ｂ１０により時刻を設定し、ボタンＢ８を押すと、基準時刻データ（Ａ）５０が変更される。
【００３７】
リモートコントローラ４０の時間設定プログラム４７は、リモートコントローラ４０から空調装置本体１の制御ユニット１５に各種動作を命令する信号を出力するときに、空調装置本体１への時刻設定命令を併せて送信する。これによって、マイクロコンピュータ１９の基準時刻データ（Ｂ）２７は、マイクロコンピュータ４２の基準時刻データ（Ａ）５０に書き換えられる。すなわち、空調装置本体１は、リモートコントローラ４０からの空調装置本体１へ出力された時刻設定命令を受け取って、空調装置本体１の時間設定プログラム２６を起動し、マイクロコンピュータ１９の基準時刻データ（Ｂ）２７を書き換える。
【００３８】
このリモートコントローラ４０から空調装置本体１のマイクロコンピュータへの基準時刻データ（Ｂ）２７の書換は、モード設定プログラム４８や、タイマープログラム４９の出力の時に併せて行われる。
【００３９】
モード設定プログラム４８は、ボタンＢ１〜Ｂ５のオンにより空調装置本体１が有する動作モード３０〜３４を選択して、空調装置本体１に送信し、空調装置本体１は送られた動作モード３０〜３４を動作制御プログラム２８のリストから選択して動作する。
【００４０】
タイマープログラム４９は、図９の予約時刻ボタンＢ６のオンの後のモードボタンＢ１〜Ｂ５の選択並びに時刻設定、及び再度の予約時刻ボタンＢ６のオンで選択され、ユーザーの選択した動作モード３０〜３４にその動作の開始時刻データ及び終了時刻データを加えた命令信号を空調装置本体１に送信する。空調装置本体１は、図８に示すように、受信した動作モード３０〜３４を所定の時刻に開始し、終了する。
【００４１】
この実施の形態の主要部は、浴室３用の空調装置本体１と空調装置本体１の操作をするためのリモートコントローラ４０とのそれぞれに基準時刻データ（Ｂ）２７、（Ａ）５０が記録されており、リモートコントローラ４０が有する基準時刻データ（Ａ）５０により、装置本体１側の時刻データ（Ｂ）２７を書き換えるリモートコントロールシステムである。リモートコントローラ４０から装置本体１側に装置本体１の動作モード３０〜３４の制御信号を送信する際に、リモートコントローラ４０が有する基準時刻データ（Ａ）５０も合わせて送信して装置本体１の基準時刻データ（Ｂ）２７を書き換えるので、リモートコントローラ４０の基準時刻データ（Ａ）５０と、空調装置本体１の基準時刻データ（Ｂ）２７を常時一致させた状態にすることができ、タイマー動作の意図せぬ動作を防止できる。
【００４２】
尚、図６は空調装置本体１の変形例にかかる空調装置本体６０を示し、空調装置本体６０の内部に吸引室６１が形成され、吸引室６１にシロッコファン６２が配備されている。吸引室６１は、浴室３に暖めた空気を戻す循環用開口部６３と、建物外に空気を排気する排気口６４とが形成され、循環用開口部６３と排気口６４との境界部にダンパー６５が配備されている。ダンパー６５は、図示しないダンパーモーターにより傾斜角度を変えて循環用開口部６３と排気口６４への空気の流れを変えるようになっている。循環用開口部６３の近傍には、ＰＴＣヒータ６６，カーボンヒータ６７が配設されている。６８はリモートコントローラ４０により制御される制御ユニットである。この空調装置本体６０のリモートコントローラ４０の制御に伴う基準時刻データの一致方法も前述と同様であるので、説明を援用する。
【００４３】
尚、空調装置本体１の空調モードは、上述の換気、乾燥、暖房の少なくとも１つを有しておれば良く、更に、ヒータも他のものを用いても良く、装置本体の機能及び形状は記載されたものに限定されるものではない。送信制御信号は動作モードについて記載したが、予約モードや電波によるオン・オフであっても良く、通常の操作ボタンを押すことにより制御信号が送信されるようになっていればよい。
【００４４】
更に、浴室暖房機能を有しているものについては、リモートコントローラ４０と換気扇本体１の時刻が一致することにより、浴室が暖まっていると思って浴室に入っても、実際は暖まっていないことによる冬場のヒートショックを回避すると共に、浴室内の冷えた状態から、再度ボタンを押して浴室内を暖めるという煩わしさもなくなり、適切な時間に入浴が可能となる。
【００４５】
更に、衣類乾燥機能を有するものについては、時刻設定の違いにより、予測した時間に乾燥が終了されず、乾燥機能が十分に生かされないと言うことを回避できる。浴室等の空調装置の機能を十分に発揮できる。脱衣室等に設置された空調装置についても同様である。
【００４６】
【発明の効果】
本発明にかかる浴室用空調装置のリモートコントロールシステムによれば、リモートコントローラと空調装置本体との時刻データを常時一致させた状態にすることができる。
【図面の簡単な説明】
【図１】本発明の実施の形態にかかる浴室用空調装置のリモートコントロールシステムの動作概要を示す機能ブロック図。
【図２】本発明の実施の形態にかかる空調装置本体側のブロック回路図。
【図３】本発明の実施の形態にかかるリモートコントローラ側のブロック回路図。
【図４】図２の空調装置本体の概略図。
【図５】本実施の形態のリモートコントロールシステムの浴室への取付構成を示す図。
【図６】他の空調装置本体の模式図。
【図７】図２の空調装置本体における各動作モード時に動作するユニットを示す図である。
【図８】図２の空調装置本体におけるタイマーモードにおける動作状態を示す図である。
【図９】図２の空調装置本体におけるリモートコントローラを示す図である。
【符号の説明】
１　空調装置本体
３　浴室
２７　空調装置本体側の基準時刻データ（Ｂ）
４０　リモートコントローラ
４８　モード設定プログラム
４９　タイマープログラム
５０　リモートコントローラ側の基準時刻データ（Ａ）
【図１】
2004093084.tif 000003
【図２】
2004093084.tif 000004
【図３】
2004093084.tif 000005
【図４】
2004093084.tif 000006
【図５】
2004093084.tif 000007
【図６】
2004093084.tif 000008
【図７】
2004093084.tif 000009
【図８】
2004093084.tif 000010
【図９】
2004093084.tif 000011